(57)【要約】【課題】セロハン表面の印字が擦れ等で取れないようにする。【解決手段】表面にマットニス層（２）を設けたセロハン（１）、又は、前記マットニス層（２）の表面にインキ層（３）を設けたセロハン（１）、又は、前記セロハン（１）を表面に有する包装材料、又は、セロハンに印字する方法であって、該セロハンの表面にマットニスを塗布してマットニス層を設け、該マットニス層の表面に印字する印字方法、又は、前記印字方法において、前記セロハンは、包装材料の表面をなすもの。【選択図】図１
2017024280.tif 000002
【特許請求の範囲】
【請求項１】
表面にマットニス層を設けたことを特徴とするセロハン。
【請求項２】
前記マットニス層の表面にインキ層を設けたことを特徴とする請求項１記載のセロハン。
【請求項３】
請求項１又は２に記載のセロハンを表面に有することを特徴とする包装材料。
【請求項４】
セロハンに印字する方法であって、該セロハンの表面にマットニスを塗布してマットニス層を設け、該マットニス層の表面に印字することを特徴とする印字方法。
【請求項５】
前記セロハンは、包装材料の表面をなすことを特徴とする請求項４記載の印字方法。
【発明の詳細な説明】
【技術分野】
【０００１】
本発明は、セロハン及び包装材料並びに印字方法に関する。
【背景技術】
【０００２】
従来から、セロハンは食品等の包装材として用いられている（例えば特許文献１参照）。
【０００３】
また従来から、ガムの外装袋を形成する積層シートを、表面から順に、基材層／シーラント層、又は、基材層／接着層／シーラント層の層構成とし、外装袋が容易に引き裂けるよう、折り込んだ箇所の表面同士のシールが確実に行えるよう、カット性及び折り目保持性が良好なセロハンを基材層に用いることが行われている（例えば特許文献２及び３参照）。
【０００４】
そして、ガムの外装袋のように、表面基材にセロハンが用いられている食品の包装材で、このセロハンの表面に、この食品の賞味期限等の情報をインクジェットで印字することが行われている。
【０００５】
しかしながら、セロハンは平滑性があり、インクジェット用のインキと相性が余り良くないため、印字が擦れ等に弱く取られ易い。
【０００６】
また、一般に、セロハンにインキ層の下地があると、インクジェットによる印字の密着が悪くなるため、セロハンの表面にニスを塗布する場合も印字する箇所にはニスを引かないというように、印字の密着を上げるためにインキやアンカーコート剤を引くことは行われていない。
【先行技術文献】
【特許文献】
【０００７】
【特許文献１】特開２００１−９６６７０号公報
【特許文献２】特開２０１５−８１１２７号公報
【特許文献３】特開２０１５−８５９９２号公報
【発明の概要】
【発明が解決しようとする課題】
【０００８】
本発明は、このような事情を考慮してなされたもので、セロハン表面の印字が擦れ等で取れないようにすることを課題とする。
【課題を解決するための手段】
【０００９】
本発明において上記課題を解決するために、まず請求項１の発明では、表面にマットニス層を設けたことを特徴とするセロハンとしたものである。
【００１０】
また請求項２の発明では、前記マットニス層の表面にインキ層を設けたことを特徴とする請求項１記載のセロハンとしたものである。
【００１１】
また請求項３の発明では、請求項１又は２に記載のセロハンを表面に有することを特徴
とする包装材料としたものである。
【００１２】
また請求項４の発明では、セロハンに印字する方法であって、該セロハンの表面にマットニスを塗布してマットニス層を設け、該マットニス層の表面に印字することを特徴とする印字方法としたものである。
【００１３】
また請求項５の発明では、前記セロハンは、包装材料の表面をなすことを特徴とする請求項４記載の印字方法としたものである。
【発明の効果】
【００１４】
請求項１、及び、請求項１を引用する請求項３の発明は、マットニス層の表面に印字すると、マットニス層の表面粗さＲａが大きいので、マットニス層の表面の凸凹によるポケット効果によって、印字が擦れ等で取れないという効果がある。
【００１５】
請求項２、及び、請求項２を引用する請求項３の発明は、マットニス層の表面粗さＲａが大きいので、マットニス層の表面の凸凹によるポケット効果によって、インキ層で表されている文字である印字が擦れ等で取れないという効果がある。
【００１６】
請求項４、及び、請求項５の発明は、マットニス層の表面粗さＲａが大きいので、マットニス層の表面の凸凹によるポケット効果によって、印字が擦れ等で取れないという効果がある。
【００１７】
以上、本発明は、セロハン表面の印字が擦れ等で取れないという効果がある。
【図面の簡単な説明】
【００１８】
【図１】本発明のセロハンの一例の断面図であって、（ａ）は印字する前の断面図であり、（ｂ）は印字した後の断面図である。
【図２】本発明の包装材料の一例の断面図であって、（ａ）は印字する前の断面図であり、（ｂ）は印字した後の断面図である。
【発明を実施するための形態】
【００１９】
以下に、本発明の一実施形態を説明する。
【００２０】
本発明は、例えば、図１（ａ）に示すように、表面のインクジェットで印字する箇所にマットニスを塗布してマットニス層２を設けたセロハン１である。
【００２１】
本発明のセロハン１は、図１（ｂ）に示すように、マットニス層２の表面に、インクジェットで印字してインク層３を設けると、マットニス層２の表面粗さＲａが大きいので、マットニス層２の表面の凸凹によるポケット効果によって、印字が擦れ等で取れない。
【００２２】
ここで、印字とは、インク層３で表されている文字のことであり、印字するとは、この文字を表すインキ層３を設けることである。また、この文字を表すインキ層３が設けられている箇所、すなわち印字した箇所を、印字部とも云うことにする。
【００２３】
本発明の包装材料は、図２に示すように、セロハン１を基材として、セロハン１の裏面にシーラント層４を設けたものでも良く、また、図示はしないが、セロハン１と、シーラント層４との間に、中間層を介在させたものでも良い。
【００２４】
セロハン１は、セロハンを基材として、セロハンの表面にポリ塩化ビニリデン等を塗布して、バリア性を持たせた防湿セロハンでも良い。
【実施例】
【００２５】
以下に、本発明の実施例を説明する。
【００２６】
＜実施例１＞
セロハンの表面に、マットニスとして、東京インキ株式会社製で、ウレタン糸を溶剤に溶かしたものを含む、ＬＧ６５２０マットメジウムを塗布して、マットニス層を設けたものを実施例１の包装材料とした。
【００２７】
＜比較例１＞
セロハンの表面に、メジウムとして、東洋インキ株式会社製で、ポリアミドと硝化綿糸とを溶剤に溶かしたものを含む、ＰＡＮＮＥＣＯＡＭメジウムを塗布して、メジウム層を設けたものを比較例１の包装材料とした。
【００２８】
＜比較例２＞
セロハンそのものを比較例２の包装材料とした。
【００２９】
［評価］
実施例１、比較例１、比較例２、それぞれ、以下の評価を行った。
【００３０】
まず、ＪＩＳ１９９４に基づいて、実施例１のマットニス層、比較例１のメジウム層、比較例２のセロハン、それぞれの表面の凸凹の程度を示す表面粗さＲａを解析した。
【００３１】
次に、実施例１のマットニス層、比較例１のメジウム層、比較例２のセロハン、それぞれの表面に、インクジェットで印字して、耐油性試験、擦れ試験、セロハンテープ試験を行った。
【００３２】
耐油性試験は、短時間評価として、（１）皮脂が多く付着した指で５分毎に印字部を１回強めに擦り、長時間評価として、（２）皮脂が多く付着した指で３．７日後に印字部を１回強めに擦って、印字の状態を確認するものである。
【００３３】
擦れ試験は、爪で印字部を擦って、印字の状態を確認するもので、耐スクラッチ性を確認するものである。
【００３４】
セロハンテープ試験は、セロハンテープを印字部に貼り、セロハンテープの上から印字部を指で２回擦った後、セロハンテープを印字部から剥離し、印字の状態を確認するものである。
【００３５】
上記耐油性試験、擦れ試験、セロハンテープ試験のいずれの試験でも、印字取られがなければ○とし、印字は読めるものの若干取られがあれば△とし、印字が取られて欠けていれば×とした。
【００３６】
以下の表１に、実施例１、比較例１、比較例２の評価結果を示す。
【００３７】
【表１】
2017024280.tif 000003
【００３８】
表１から明らかなように、表面粗さＲａが大きく、すなわち、表面の凸凹の程度が大きくなるに従って、耐油性試験、擦れ試験、セロハンテープ試験のいずれの試験でも、印字が取られ難くなり、そして表面粗さＲａが２９５．０ｎｍである実施例１の包装材料では、耐油性試験、擦れ試験、セロハンテープ試験のいずれの試験でも、印字取られが無いことが分かる。
【符号の説明】
【００３９】
１…セロハン
２…マットニス層
３…インキ層
４…シーラント層
【図１】
2017024280.tif 000004
【図２】
2017024280.tif 000005